(57)【要約】【課題】ワイヤレスキーボードのようなワイヤレスの入力装置とコンピュータとの間の対応を容易に判別することができるワイヤレス接続情報処理システムを提供する。【解決手段】入力装置１０が、複数のキー又はスイッチの中の特定のキー又はスイッチの特定の操作が行われた場合、特定のキー又はスイッチの特定の操作が行われたことを示す呼出操作のキーコードと、情報処理装置２０を示す認識番号２８とを含む呼出命令であって、情報処理装置２０を呼び出す呼出命令を生成する制御部１２を備える。情報処理装置２０が、受信した呼出命令に基づいて、呼出命令に含まれる認識番号がその情報処理装置２０を示す認識番号と一致する場合、その情報処理装置２０が呼び出されていることを示す呼出信号を出力する表示部２７を備える。【選択図】図１
2011096279.tif 000002
【特許請求の範囲】
【請求項１】
入力装置と、前記入力装置とワイヤレスで接続される情報処理装置とからなるワイヤレス接続情報処理システムであって、
前記入力装置及び情報処理装置の一方が、
複数のキー又はスイッチと、
前記複数のキー又はスイッチの中の特定のキー又はスイッチの特定の操作が行われた場合、前記特定のキー又はスイッチの特定の操作が行われたことを示す呼出操作のキーコードと、前記入力装置及び情報処理装置の一方を示す認識番号とを含む呼出命令であって、前記入力装置及び情報処理装置の他方を呼び出す呼出命令を生成する生成部と、
前記生成した呼出命令を前記入力装置及び情報処理装置の他方に送信する送信部とを備え、
前記入力装置及び情報処理装置の他方が、
前記送信された呼出命令を受信する受信部と、
前記受信した呼出命令に基づいて、前記呼出命令に含まれる認識番号が前記入力装置及び情報処理装置の一方を示す認識番号と一致する場合、前記入力装置及び情報処理装置の他方が呼び出されていることを示す呼出信号を出力する出力部とを備える
ことを特徴とするワイヤレス接続情報処理システム。
【請求項２】
請求項１に記載のワイヤレス接続情報処理システムにおいて、
前記入力装置及び情報処理装置の他方が、更に、
前記入力装置及び情報処理装置の一方を示す認識番号を記憶する書き換え可能な不揮発性メモリからなる記憶部を備える
ことを特徴とするワイヤレス接続情報処理システム。
【請求項３】
請求項１に記載のワイヤレス接続情報処理システムにおいて、
前記入力装置及び情報処理装置の他方が備える前記入力装置及び情報処理装置の一方を示す認識番号は、前記入力装置及び情報処理装置の一方から予め通知される
ことを特徴とするワイヤレス接続情報処理システム。
【請求項４】
請求項１に記載のワイヤレス接続情報処理システムにおいて、
前記特定のキー又はスイッチの特定の操作は、前記呼出操作のキーコードの生成を指示する専用のキー又はスイッチが押されること、所定のキー又はスイッチの組合せが押されること、又は、所定のキー又はスイッチについての所定の操作である
ことを特徴とするワイヤレス接続情報処理システム。
【請求項５】
請求項１に記載のワイヤレス接続情報処理システムにおいて、
前記入力装置及び情報処理装置の他方が、更に、
複数の第２のキー又はスイッチと、
前記複数の第２のキー又はスイッチの中の特定の第２のキー又はスイッチの特定の操作が行われた場合、前記特定のキー又はスイッチの特定の操作が行われたことを示す呼出操作のキーコードと、前記入力装置及び情報処理装置の他方を示す認識番号とを含む呼出命令であって、前記入力装置及び情報処理装置の一方を呼び出す第２呼出命令を生成する第２生成部と、
前記生成した第２呼出命令を前記入力装置及び情報処理装置の一方に送信する第２送信部とを備え、
前記入力装置及び情報処理装置の一方が、更に、
前記送信された第２呼出命令を受信する第２受信部と、
前記受信した第２呼出命令に基づいて、前記呼出命令に含まれる認識番号が前記入力装置及び情報処理装置の他方を示す認識番号と一致する場合、前記入力装置及び情報処理装置の一方が呼び出されていることを示す第２呼出信号を出力する第２出力部とを備える
ことを特徴とするワイヤレス接続情報処理システム。
【発明の詳細な説明】
【技術分野】
【０００１】
本発明は、ワイヤレス接続情報処理システムに関し、特に、ワイヤレスキーボードのような入力装置とコンピュータとの間の対応を容易に判別することができるワイヤレス接続情報処理システムに関する。
【背景技術】
【０００２】
入力装置としてワイヤレスキーボードを用いる場合、これとコンピュータ（の本体）との間の接続ケーブルを省略することができる。従って、接続の手間を省くことができ、また、接続ケーブルでコンピュータの周囲が雑然とすることも無い。このため、ワイヤレスキーボードのような入力装置は、例えば企業等において広く用いられている。
【０００３】
なお、例えば、ワイヤレスキーボードにおいて、これとコンピュータ本体との間の双方向通信を可能とすると共に、キーボードにキー情報（キーコード）を保持し、これをコンピュータにデータ転送し、これに対するコンピュータからの応答情報と前記保持したキー情報とを比較して、前記で転送が正しく行われたか否かを判断することが知られている（特許文献１参照）。
【０００４】
また、例えば、医療用装置において、ケーブルやチューブ類に接続可能な送受信装置を複数設けると共に、その各々が固有周波数を送受信するようにして、接続先を確認することが知られている（特許文献２参照）。
【先行技術文献】
【特許文献】
【０００５】
【特許文献１】特開平９−２８２０６７号公報
【特許文献２】特開２０００−１６３１９９号公報
【発明の概要】
【発明が解決しようとする課題】
【０００６】
企業がコンピュータを購入する場合、数１００台単位で購入することがある。この場合、通常、コンピュータメーカーにおいて、コンピュータ（の本体）とワイヤレスキーボードとを対応付けた上で出荷することが考えられる。しかし、種々の都合から、コンピュータとワイヤレスキーボードとは、別々に梱包され配送されることが多い。このため、どのコンピュータがどのワイヤレスキーボードに対応しているかが、事実上不明な状態となってしまう。
【０００７】
この場合、前述の特許文献１に示すように、双方向の通信機能を備えるワイヤレスキーボードシステムにおいては、数１００組のコンピュータとワイヤレスキーボードの全てを一斉に立ち上げて、１台毎のワイヤレスキーボードから何らかの操作をして、反応するコンピュータを全体の中から抽出しなければならない。従って、数１００組のコンピュータとワイヤレスキーボードと組合せについてその対応を調査することは、事実上不可能に近い。この結果、コンピュータを購入した企業において、再度、コンピュータとキーボードとの対応を設定せざるを得ない。このため、メーカーにおける対応の設定が無駄になり、購入した企業における対応の設定が煩わしい。
【０００８】
一方、前述の特許文献２に示す医療用装置のように、コンピュータとキーボードとを固有周波数で送受信するようにして対応付けることも考えられる。しかし、この場合、数１００組のコンピュータとワイヤレスキーボードと組合せの各々に対して、使用可能な電波帯域の範囲内において固有周波数を割り当てることは不可能である。また、電波の到達する距離とコンピュータの配置とを考慮に入れて固有周波数を割り当てたとしても、前述のように、コンピュータの納入の際に、コンピュータとキーボードとの対応が不明になることは避けられない。
【０００９】
本発明は、ワイヤレスキーボードのようなワイヤレスの入力装置とコンピュータとの間の対応を容易に判別することができるワイヤレス接続情報処理システムを提供することを目的とする。
【課題を解決するための手段】
【００１０】
本発明のワイヤレス接続情報処理システムは、入力装置と、前記入力装置とワイヤレスで接続される情報処理装置とからなる。前記入力装置及び情報処理装置の一方が、複数のキー又はスイッチと、前記複数のキー又はスイッチの中の特定のキー又はスイッチの特定の操作が行われた場合、前記特定のキー又はスイッチの特定の操作が行われたことを示す呼出操作のキーコードと、前記入力装置及び情報処理装置の一方を示す認識番号とを含む呼出命令であって、前記入力装置及び情報処理装置の他方を呼び出す呼出命令を生成する生成部と、前記生成した呼出命令を前記入力装置及び情報処理装置の他方に送信する送信部とを備える。前記入力装置及び情報処理装置の他方が、前記送信された呼出命令を受信する受信部と、前記受信した呼出命令に基づいて、前記呼出命令に含まれる認識番号が前記入力装置及び情報処理装置の一方を示す認識番号と一致する場合、前記入力装置及び情報処理装置の他方が呼び出されていることを示す呼出信号を出力する出力部とを備える。
【００１１】
また、好ましくは、本発明のワイヤレス接続情報処理システムにおいて、前記入力装置及び情報処理装置の他方が、更に、前記入力装置及び情報処理装置の一方を示す認識番号を記憶する書き換え可能な不揮発性メモリからなる記憶部を備える。
【００１２】
また、好ましくは、本発明のワイヤレス接続情報処理システムにおいて、前記入力装置及び情報処理装置の他方が備える前記入力装置及び情報処理装置の一方を示す認識番号は、前記入力装置及び情報処理装置の一方から予め通知される。
【００１３】
また、好ましくは、本発明のワイヤレス接続情報処理システムにおいて、前記特定のキー又はスイッチの特定の操作は、前記呼出操作のキーコードの生成を指示する専用のキー又はスイッチが押されること、所定のキー又はスイッチの組合せが押されること、又は、所定のキー又はスイッチについての所定の操作である。
【００１４】
また、好ましくは、本発明のワイヤレス接続情報処理システムにおいて、前記入力装置及び情報処理装置の他方が、更に、複数の第２のキー又はスイッチと、前記複数の第２のキー又はスイッチの中の特定の第２のキー又はスイッチの特定の操作が行われた場合、前記特定のキー又はスイッチの特定の操作が行われたことを示す呼出操作のキーコードと、前記入力装置及び情報処理装置の他方を示す認識番号とを含む呼出命令であって、前記入力装置及び情報処理装置の一方を呼び出す第２呼出命令を生成する第２生成部と、前記生成した第２呼出命令を前記入力装置及び情報処理装置の一方に送信する第２送信部とを備える。前記入力装置及び情報処理装置の一方が、更に、前記送信された第２呼出命令を受信する第２受信部と、前記受信した第２呼出命令に基づいて、前記呼出命令に含まれる認識番号が前記入力装置及び情報処理装置の他方を示す認識番号と一致する場合、前記入力装置及び情報処理装置の一方が呼び出されていることを示す第２呼出信号を出力する第２出力部とを備える。
【発明の効果】
【００１５】
本発明のワイヤレス接続情報処理システムによれば、例えば、入力装置において特定のキー又はスイッチの特定の操作が行われた場合、入力装置が、呼出操作のキーコードと入力装置を示す認識番号とを含む呼出命令を生成する。そして、情報処理装置が、受信した呼出命令に基づいて、前記認識番号が前記入力装置を示す認識番号と一致する場合、情報処理装置の呼出信号を出力する。これとは逆に、情報処理装置が入力装置の呼出命令を生成する場合も、同様である。
【００１６】
これにより、コンピュータとワイヤレスキーボードのような入力装置との対応を、入力装置のキー等の簡単な操作により知ることができるので、１組づつ確認するすることができる。従って、コンピュータを購入した企業等（ユーザ）において再度コンピュータとキーボードとの対応を設定する必要を無くすことができ、メーカーにおける対応の設定を無駄にすることを防止することができる。また、固有周波数での送受信に依存しないので、コンピュータと入力装置と組合せの数が制限されることが無い。従って、本発明によれば、コンピュータと入力装置とが別々に梱包され配送したとしても、どのコンピュータがどの入力装置に対応しているかを、簡単な操作により瞬時に知ることができる。また、メーカーが、コンピュータを数１００台単位で出荷する場合、コンピュータと入力装置とを対応付けた上で出荷することができる。
【００１７】
また、本発明のワイヤレス接続情報処理システムの一実施態様によれば、例えば情報処理装置が入力装置を示す認識番号を記憶する。これにより、識別番号の判別という簡単な処理により、コンピュータとキーボードとの対応を知ることができる。
【００１８】
また、本発明のワイヤレス接続情報処理システムの一実施態様によれば、例えば情報処理装置が備える入力装置を示す認識番号は、入力装置から予め通知される。これにより、識別番号の判別という簡単な処理により、コンピュータとキーボードとの対応を知ることができる。
【００１９】
また、本発明のワイヤレス接続情報処理システムの一実施態様によれば、特定のキー又はスイッチの特定の操作が、予め定められる。これにより、例えば専用のキー又はスイッチを押すという簡単な操作により、呼出命令を用いて、コンピュータとキーボードとの対応を知ることができる。
【００２０】
また、本発明のワイヤレス接続情報処理システムの一実施態様によれば、例えば、情報処理装置において複数の第２のキー又はスイッチの中の特定の第２のキー又はスイッチの特定の操作が行われた場合、情報処理装置が、入力装置を呼び出す第２呼出命令を生成する。そして、入力装置が、受信した第２呼出命令に基づいて、入力装置が呼び出されていることを示す第２呼出命令を出力する。これにより、前述のように入力装置からコンピュータを呼び出すことができることに加えて、コンピュータから入力装置を呼び出すことができる。従って、使用環境等に応じて呼び出しの方法を選択することができ、容易にコンピュータとキーボードとの対応を知ることができる。
【図面の簡単な説明】
【００２１】
【図１】本発明による情報処理装置の構成例を示す図である。
【図２】本発明による情報処理装置の構成例を示す図である。
【図３】入力装置の呼出操作に対して情報処理装置が応答する場合における処理フローチャートの一例である。
【図４】情報処理装置の呼出操作に対して入力装置が応答する場合における処理フローチャートの一例である。
【図５】情報処理装置から入力装置に送られる第２呼出命令の送信フォーマットの一例を示す。
【図６】入力装置から情報処理装置に送られる呼出命令の送信フォーマットの一例を示す。
【発明を実施するための形態】
【００２２】
図１及び図２は、本発明のワイヤレス接続情報処理システムの構成図であり、双方を併せて本発明のワイヤレス接続情報処理システムの構成の一例を示す。特に、図１及び図２は、各々、ワイヤレス接続情報処理システムを構成する入力装置及びコンピュータの構成の一例を示す。この例は、入力装置１０から情報処理装置２０を呼び出すことと、情報処理装置２０から入力装置１０を呼び出すことの双方を可能とする例である。
【００２３】
ワイヤレス接続情報処理システムは、入力装置１０と、これとワイヤレスで接続される情報処理装置２０とからなる。この例において、入力装置１０は、例えばワイヤレスキーボードからなる。情報処理装置２０は、例えばコンピュータ（の本体）からなる。入力装置１０は、情報処理装置２０との間で、例えば無線により双方向の通信を行う。
【００２４】
図１において、入力装置１０は、前述のようにワイヤレスキーボードからなり、キーボード（キーマトリクス）１１、制御部１２、送信部１３、受信部１４、記憶装置１５、表示部１６、発呼部１７からなる。
【００２５】
キーボード１１は、キー入力のために、例えば複数のキーが所定の位置に配列されたものからなる。更に、キーボード１１の複数のキーは、呼出命令の入力に用いられる。即ち、呼出命令を用いる場合のキーボード１１の操作処理においては、ユーザが、キーボード１１におけるいずれか特定のキーについて特定の操作をする。
【００２６】
呼出命令の入力を指示するキー操作とは、ユーザが操作している入力装置１０が操作できる情報処理装置２０を、当該入力装置１０から呼び出すための操作である。このキー操作は、例えば、情報処理装置２０の呼出操作のキーコードの生成を指示する専用のキーの押下げからなる。また、このキー操作は、専用のキーに変えて、専用のスイッチの押下げであっても良い。更に、このキー操作は、所定のキー又はスイッチの組合せの押下げであっても良い。例えば、Ctrlキー、Alt キー及びShift キーの同時の押下げであっても良い。更に、このキー操作は、所定のキー又はスイッチについての所定の操作（通常のキーを用いた特殊な操作）であっても良い。例えば、「１」キーの連打であってもよい。即ち、このキー操作は、キーボード１１の複数のキー又はスイッチの中の特定のキー又はスイッチの特定の操作であれば良い。
【００２７】
制御部１２は、入力装置１０の全体を制御し、また、キーボード１１で操作された（入力された）キーに対応するキーコードを生成して、これを送信部１３を介して情報処理装置２０に送信する。更に、制御部１２は、キーボード１１において前記特定のキーが押されたことを検出する。従って、特定のキーについて特定の操作をすることにより、制御部１２が、呼出命令の入力を指示するキー操作が行われたと判断する。
【００２８】
制御部１２は、呼出命令の入力を指示するキー操作が行われた場合、情報処理装置２０を呼び出す呼出命令を生成する。即ち、制御部１２は呼出命令の生成部である。呼出命令は、当該キー操作が行われたことを示す呼出操作のキーコードと、入力装置１０を示す認識番号１８とを含む。図６は、入力装置１０から情報処理装置２０に送られる呼出命令の送信フォーマットの一例を示す。呼出命令の送信は、入力装置１０の認識番号１８である情報６１、キーコード６２、情報６１及びキーコード６２の誤り訂正符号６３からなる。キーコード６２は、呼出命令の入力を指示するキー操作に応じて生成されたキーコードである。
【００２９】
制御部１２は、情報処理装置２０から入力装置１０を呼び出す第２呼出命令（後述する）を受信した場合、第２呼出信号を出力する。即ち、制御部１２は第２呼出命令の出力部の一部であると考えて良い。具体的には、制御部１２は、受信部１４が受信した第２呼出命令に基づいて、第２呼出命令に含まれる認識番号２８が、記憶装置１５に予め格納された情報処理装置２０の認識番号２８と一致する場合、入力装置１０が呼び出されていることを示す第２呼出信号を、後述する出力部に依頼して出力する。
【００３０】
送信部１３は、入力装置１０と情報処理装置２０との間の通信を、所定の周波数の無線により行う。即ち、送信部１３は、情報処理装置２０の受信部２１に対して、キーボード１１において操作（入力）されたキーに対応するキーコードを送信する。更に、送信部１３は、受信部２１に対して、情報処理装置２０の呼出命令を送信する。
【００３１】
受信部１４は、入力装置１０と情報処理装置２０との間の通信を、所定の周波数の無線により行う。即ち、受信部１４は、情報処理装置２０の送信部２２から、情報処理装置２０において入力された入力装置１０の第２呼出命令を受信する。
【００３２】
記憶装置１５は、入力装置１０が操作可能な情報処理装置２０の認識番号２８を予め記憶する。認識番号２８は、制御部１２に内蔵するようにしても良い。記憶装置１５は、例えばフラッシュメモリのような書き換え可能な不揮発性メモリからなる。入力装置１０が備える情報処理装置２０を示す認識番号（即ち、記憶装置１５に記憶された認識番号）は、情報処理装置２０から予め通知される。この通知は、例えば入力装置１０と情報処理装置２０とを対応付けるための通知である。
【００３３】
この例の入力装置１０において、当該入力装置１０が呼び出されたことを示す信号を出力する出力部は、表示部１６と発呼部１７とからなる。なお、表示部１６と発呼部１７のいずれか一方のみを設けるようにしても良い。
【００３４】
表示部１６は、受信した呼出操作のキーコードに基づいて所定の信号を表示する。具体的には、表示部１６は、情報処理装置２０において当該入力装置１０の呼出操作が行われたことを、ユーザに対して、文字又は画像により通知する出力装置である。表示部１６は、例えばＬＥＤからなる。なお、表示部１６としては、Capsスイッチやカナスイッチに付随する入力状態を表示するＬＥＤ等を用いて、これを点滅させるようにしても良い。
【００３５】
発呼部１７は、受信した呼出操作のキーコードに基づいて所定の音声を出力する。具体的には、発呼部１７は、情報処理装置２０において、当該入力装置１０の呼出操作が行われたことを、ユーザに対して、音声により通知する出力装置である。発呼部１７は、例えばスピーカからなる。
【００３６】
図２において、情報処理装置２０は、前述のようにコンピュータ（の本体）からなり、受信部２１、送信部２２、入力装置通信制御部２３、記憶装置２４、制御部２５、入力部２６、表示部２７からなる。
【００３７】
受信部２１は、入力装置１０と情報処理装置２０の双方向の通信を、所定の周波数の無線により行う。即ち、受信部２１は、入力装置１０の送信部１３から、キーボード１１において操作（入力）されたキーに対応するキーコード、及び、情報処理装置２０の呼出命令を受信する。
【００３８】
送信部２２は、入力装置１０と情報処理装置２０の双方向の通信を、所定の周波数の無線により行う。即ち、送信部２２は、情報処理装置２０において入力された入力装置１０の呼出命令を送信する。
【００３９】
入力装置通信制御部２３は、入力装置１０との通信を制御し、また、受信部２１が受信したキーコードを解析して、通常のキーの押下げに対応するキーコードを、制御部２５に送る。これにより、キーボード１１で操作された（入力された）キーコードが、情報処理装置２０の制御部２５に入力される。更に、入力装置通信制御部２３は、キーボード１１において前記特定のキーが押されたことを検出する。即ち、呼出命令の入力を指示するキー操作を検出する。
【００４０】
入力装置通信制御部２３は、第２呼出命令の入力を指示するキー操作が行われた場合、入力装置１０を呼び出す第２呼出命令を生成する。即ち、入力装置通信制御部２３は第２呼出命令の生成部である。第２呼出命令は、当該キー操作が行われたことを示す呼出操作のキーコードと、情報処理装置２０を示す認識番号２８とを含む。図５は、情報処理装置２０から入力装置１０に送られる第２呼出命令の送信フォーマットの一例を示す。第２呼出命令の送信フォーマットは、情報処理装置２０の認識番号２８である情報５１、キーコード５２、誤り訂正符号５３からなる。キーコード５２は、呼出命令の入力を指示するキー操作に応じて生成されたキーコードである。
【００４１】
入力装置通信制御部２３は、入力装置１０から呼出命令を受信した場合、呼出信号を出力する。即ち、入力装置通信制御部２３は呼出命令の出力部の一部であると考えて良い。具体的には、入力装置通信制御部２３は、受信部２１が受信した呼出命令に基づいて、呼出命令に含まれる認識番号１８が、記憶装置２４に予め格納された入力装置１０の認識番号１８と一致する場合、情報処理装置２０が呼び出されていることを示す呼出信号を、後述する第２出力部に依頼して出力する。
【００４２】
記憶装置２４は、情報処理装置２０を操作可能な入力装置１０の認識番号１８を予め記憶する。認識番号１８は、入力装置通信制御部２３に内蔵するようにしても良い。記憶装置２４は、記憶装置１５と同様に、フラッシュメモリのような書き換え可能な不揮発性メモリからなる。情報処理装置２０が備える入力装置１０を示す認識番号（即ち、記憶装置２４に記憶された認識番号）は、入力装置１０から予め通知される。この通知は、例えば入力装置１０と情報処理装置２０とを対応付けるための通知である。
【００４３】
制御部２５は、情報処理装置２０の主要部分であり、周知のように、例えばＣＰＵ（中央情報処理装置）、ＨＤＤ（ハードディスクドライブ）、メモリ、各種の入出力装置等（いずれも図示せず）を含む。図２から判るように、この例においては、制御部２５における処理によらずに、入力装置１０からの呼出命令が処理されるので、制御部２５のＣＰＵの処理の負担を軽減することができる。
【００４４】
入力部２６は、情報処理装置２０に登録された入力装置１０を探す（呼び出す）場合に、ユーザが操作する。入力部２６は、複数のスイッチを備え、第２呼出命令の入力に用いられる。即ち、第２呼出命令を用いる場合の操作処理においては、ユーザが、入力部２６におけるいずれか特定のスイッチについて特定の操作をする。第２呼出命令の入力を指示するスイッチ操作は、呼出命令の入力を指示するキー操作と同様に考えて良い。即ち、入力部２６は、入力装置１０を呼び出すための専用のスイッチ（又はボタン、キー等）からなる。又は、入力部２６は、特定のスイッチの組合せ、例えば電源スイッチと入力装置登録スイッチの同時操作であってもよい。即ち、専用のキー又はスイッチが押されること、所定のキー又はスイッチの組合せが押されること、又は、所定のキー又はスイッチについての所定の操作であれば良い。
【００４５】
この例の情報処理装置２０において、当該情報処理装置２０が呼び出されたことを示す信号を出力する第２出力部は、表示部２７からなる。表示部２７は、受信した呼出操作のキーコードに基づいて所定の信号を表示する。具体的には、表示部２７は、入力装置１０において、情報処理装置２０の呼出操作が行われたことをユーザに通知するための発呼装置である。表示部２７は、例えばＬＥＤやブザーからなる。なお、表示部２７は、電源ＬＥＤなど情報処理装置２０の状態を表示するＬＥＤ等を用いて、これを点滅させるようにしても良い。また、情報処理装置２０において、入力装置１０と同様に、発呼部を設けるようにしても良い。
【００４６】
図３は、入力装置１０の呼出操作に対して情報処理装置２０が応答する場合における処理フローチャートの一例である。
【００４７】
制御部１２が、ユーザ（使用者、図４において同じ）がキーボード１１を用いて行った呼出命令の入力を指示するキー操作を感知し、呼出操作のキーコード（呼出命令の入力を指示するキーコード）を生成し、同時に入力装置１０自身の認識番号１８と共に、送信部１３に通知する（ステップＳ３１）。これに応じて、送信部１３が、認識番号１８と呼出操作のキーコードを併せて操作信号（呼出命令）として、情報処理装置２０に送信する（ステップＳ３２）。なお、この例では、操作信号（呼出命令）を送信部１３が生成している。
【００４８】
受信部２１が、送信部１３を介して入力装置１０からの操作信号を受信し、入力装置通信制御部２３に通知する（ステップＳ３３）。これに応じて、入力装置通信制御部２３が、受信部２１が受信した操作信号を解析し、操作信号に含まれた認識番号１８と記憶装置２４に予め記憶された認識番号１８とを比較し（ステップＳ３４）、両者が異なっている場合、処理を終了する。両者が同一である場合、入力装置通信制御部２３が、当該操作信号はその情報処理装置２０を操作可能な入力装置１０からの呼出命令であると判定し、次のステップＳ３５に進む。
【００４９】
入力装置通信制御部２３が、操作信号（呼出命令）に含まれたキーコードを解析し、操作信号に含まれたキーコードと呼出命令のキーコードとを比較し（ステップＳ３５）、両者が異なっている場合、当該キーコードに基づいて通常のキー入力処理を行い、両者が同一である場合、呼出命令に対応する処理を行うために、ステップＳ３６に進む。
【００５０】
入力装置通信制御部２３が、表示部２７を用いて呼出命令を実行（呼出操作を実施、図４において同じ）する（ステップＳ３６）。これにより、ユーザは、表示部２７を確認することにより、ユーザが操作している入力装置１０が操作可能な情報処理装置２０を特定することができる。
【００５１】
図４は、情報処理装置２０の呼出操作に対して入力装置１０が応答する場合における処理フローチャートの一例である。
【００５２】
入力装置通信制御部２３が、ユーザが入力部２６を用いて行った第２呼出命令の入力を指示するキー操作を感知し、第２呼出操作のキーコードを生成し、同時に情報処理装置２０自身の認識番号２８と共に、送信部２２に通知する（ステップＳ４１）。これに応じて、送信部２２が、認識番号２８と第２呼出操作のキーコードを併せて第２操作信号（第２呼出命令）として、入力装置１０に送信する（ステップＳ４２）。なお、この例では、第２操作信号（第２呼出命令）を送信部２２が生成している。
【００５３】
受信部１４が、送信部２２を介して情報処理装置２０からの第２操作信号を受信し、制御部１２に通知する（ステップＳ４３）。これに応じて、制御部１２が、受信部１４が受信した第２操作信号を解析し、第２操作信号に含まれた認識番号２８と、記憶装置１５に予め記憶された認識番号２８とを比較し（ステップＳ４４）、両者が異なっている場合、処理を終了する。両者が同一である場合、制御部１２が、当該第２操作信号はその入力装置１０が操作可能な情報処理装置２０からの操作信号であると判定し、次のステップＳ４５に進む。
【００５４】
制御部１２が、第２操作信号（第２呼出命令）に含まれたキーコードを解析し、第２操作信号に含まれたキーコードと第２呼出命令のキーコードとを比較し（ステップＳ４５）、両者が同一である場合、第２呼出命令に対応する処理を行うために、ステップＳ４６に進む。両者が異なっている場合、第２呼出命令以外の信号（命令）であると判断して、当該キーコードに対応した処理を行う。
【００５５】
制御部１２が、表示部１６又は発呼部１７を用いて第２呼出命令を実行する（ステップＳ４６）。これにより、ユーザは、表示部１６又は発呼部１７を確認することにより、情報処理装置２０が操作可能な入力装置１０を特定することができる。
【００５６】
通常のキーボード１１の操作処理（入力処理）の場合、ユーザがキーボード１１におけるいずれかのキーを押すと、これを検出した制御部１２が、対応するキーコード（キー情報）を生成し、その送信を送信部１３に依頼する。これに応じて、送信部１３が当該キーコードを情報処理装置２０に対して送信する。情報処理装置２０において、当該キーコードを受信部２１が受信する。従って、通常のキーボード１１の操作処理においては、入力装置１０から情報処理装置２０への一方向の通信のみが行われる。この受信に応じて、入力装置通信制御部２３が、当該キーコードを検出し、いずれのキーが押されたかを判別し、その判別結果を制御部２５に入力する。これにより、ユーザにより入力されたキー（キーコード）が情報処理装置２０の制御部２５に入力される。
【００５７】
一方、入力装置１０から情報処理装置２０を呼び出す場合、以下のような処理が実行される。即ち、ユーザがキーボード１１におけるいずれか特定のキーについて特定の操作をすると、制御部１２が、前記特定のキーが操作されたことを検出し、情報処理装置２０の呼出命令を生成して、これを送信部１３を介して情報処理装置２０に対して送信する。情報処理装置２０において、受信部２１が当該呼出命令を受信すると、入力装置通信制御部２３が、認識番号１８が一致する場合、表示部２７に呼出信号を出力する。
【００５８】
逆に、情報処理装置２０から入力装置１０を呼び出す場合、以下のような処理が実行される。即ち、ユーザが入力部２６におけるいずれか特定のスイッチについて特定の操作をすると、入力装置通信制御部２３が、前記特定のスイッチが操作されたことを検出し、入力装置１０の第２呼出命令を生成して、これを送信部２２を介して入力装置１０に対して送信する。入力装置１０において、受信部１４が当該第２呼出命令を受信すると、制御部１２が、認識番号２８が一致する場合、表示部１６及び／又は発呼部１７に第２呼出信号を出力する。
【００５９】
以上、本発明を、その実施の形態に従って説明したが、本発明は、その主旨の範囲内において、種々の変形が可能である。
【００６０】
例えば、以上の実施の形態は、入力装置１０から情報処理装置２０を呼び出すことと、情報処理装置２０から入力装置１０を呼び出すことの双方を可能とする例であるが、いずれか一方のみを実施するようにしても良い。即ち、入力装置１０から情報処理装置２０を呼び出すのみの構成としても良く、逆に、情報処理装置２０から入力装置１０を呼び出すのみの構成としても良い。
【００６１】
また、例えば、以上の実施の形態においては、入力装置１０から情報処理装置２０を呼び出す場合、呼出命令の一部として、入力装置１０の認識番号１８を情報処理装置２０に送信したが、当該呼出命令の一部として、情報処理装置２０の認識番号１８を情報処理装置２０に送信するようにしても良い。この場合、情報処理装置２０の認識番号１８は、入力装置１０と情報処理装置２０とを対応付けるために、情報処理装置２０から入力装置１０に事前に通知されたものである。同様に、情報処理装置２０が、入力装置１０の認識番号１８を、入力装置１０に送信するようにしても良い。
【００６２】
また、例えば、以上の実施の形態においては、情報処理装置２０の認識番号２８と入力装置１０の認識番号１８とを、相互に異なる値に設定しているが、両者の値を同一の値となるように設定するようにしても良い。
【００６３】
また、例えば、入力装置１０は、ワイヤレスキーボードに限られず、例えばワイヤレスマウス、ワイヤレスリモコン（リモートコントローラ）、テンキーボードのような他の入力装置であっても良い。
【００６４】
また、例えば、入力装置１０は、ワイヤレスでコンピュータ（の本体）との間での双方向通信を行うものであれば良く、無線周波数を用いる通信に限らず、例えば光又は赤外線を用いる通信によりコンピュータとの間での双方向通信を行うような入力装置であっても良い。
【００６５】
以上から判るように、本発明の代表的な実施態様として以下の内容が把握される。
【００６６】
（付記１）入力装置と、前記入力装置とワイヤレスで接続される情報処理装置とからなるワイヤレス接続情報処理システムであって、
前記入力装置及び情報処理装置の一方が、
複数のキー又はスイッチと、
前記複数のキー又はスイッチの中の特定のキー又はスイッチの特定の操作が行われた場合、前記特定のキー又はスイッチの特定の操作が行われたことを示す呼出操作のキーコードと、前記入力装置及び情報処理装置の一方を示す認識番号とを含む呼出命令であって、前記入力装置及び情報処理装置の他方を呼び出す呼出命令を生成する生成部と、
前記生成した呼出命令を前記入力装置及び情報処理装置の他方に送信する送信部とを備え、
前記入力装置及び情報処理装置の他方が、
前記送信された呼出命令を受信する受信部と、
前記受信した呼出命令に基づいて、前記呼出命令に含まれる認識番号が前記入力装置及び情報処理装置の一方を示す認識番号と一致する場合、前記入力装置及び情報処理装置の他方が呼び出されていることを示す呼出信号を出力する出力部とを備える
ことを特徴とするワイヤレス接続情報処理システム。
【００６７】
（付記２）付記１に記載のワイヤレス接続情報処理システムにおいて、
前記入力装置及び情報処理装置の一方及び他方が、各々、入力装置及び情報処理装置からなり、
前記出力部が、前記受信した呼出操作のキーコードに基づいて所定の信号を表示する表示部、又は、前記受信した呼出操作のキーコードに基づいて所定の音声を出力する発呼部からなる
ことを特徴とするワイヤレス接続情報処理システム。
【００６８】
（付記３）付記１に記載のワイヤレス接続情報処理システムにおいて、
前記入力装置及び情報処理装置の一方及び他方が、各々、情報処理装置及び入力装置からなり、
前記出力部が、前記受信した呼出操作のキーコードに基づいて所定の信号を表示する表示部からなる
ことを特徴とするワイヤレス接続情報処理システム。
【００６９】
（付記４）付記１に記載のワイヤレス接続情報処理システムにおいて、
前記入力装置及び情報処理装置の他方が、更に、
前記入力装置及び情報処理装置の一方を示す認識番号を記憶する書き換え可能な不揮発性メモリからなる記憶部を備える
ことを特徴とするワイヤレス接続情報処理システム。
【００７０】
（付記５）付記１に記載のワイヤレス接続情報処理システムにおいて、
前記入力装置及び情報処理装置の他方が備える前記入力装置及び情報処理装置の一方を示す認識番号は、前記入力装置及び情報処理装置の一方から予め通知される
ことを特徴とするワイヤレス接続情報処理システム。
【００７１】
（付記６）付記１に記載のワイヤレス接続情報処理システムにおいて、
前記特定のキー又はスイッチの特定の操作は、前記呼出操作のキーコードの生成を指示する専用のキー又はスイッチが押されること、所定のキー又はスイッチの組合せが押されること、又は、所定のキー又はスイッチについての所定の操作である
ことを特徴とするワイヤレス接続情報処理システム。
【００７２】
（付記７）付記１に記載のワイヤレス接続情報処理システムにおいて、
前記入力装置が、ワイヤレスキーボード、ワイヤレスマウス、ワイヤレスリモコンのいずれかである
ことを特徴とするワイヤレス接続情報処理システム。
【００７３】
（付記８）付記１に記載のワイヤレス接続情報処理システムにおいて、
前記入力装置及び情報処理装置の他方が、更に、
複数の第２のキー又はスイッチと、
前記複数の第２のキー又はスイッチの中の特定の第２のキー又はスイッチの特定の操作が行われた場合、前記特定のキー又はスイッチの特定の操作が行われたことを示す呼出操作のキーコードと、前記入力装置及び情報処理装置の他方を示す認識番号とを含む呼出命令であって、前記入力装置及び情報処理装置の一方を呼び出す第２呼出命令を生成する第２生成部と、
前記生成した第２呼出命令を前記入力装置及び情報処理装置の一方に送信する第２送信部とを備え、
前記入力装置及び情報処理装置の一方が、更に、
前記送信された第２呼出命令を受信する第２受信部と、
前記受信した第２呼出命令に基づいて、前記呼出命令に含まれる認識番号が前記入力装置及び情報処理装置の他方を示す認識番号と一致する場合、前記入力装置及び情報処理装置の一方が呼び出されていることを示す第２呼出信号を出力する第２出力部とを備える
ことを特徴とするワイヤレス接続情報処理システム。
【産業上の利用可能性】
【００７４】
以上、説明したように、本発明によれば、ワイヤレス接続情報処理システムにおいて、コンピュータと入力装置との対応を簡単な操作により瞬時に知ることができ、また、コンピュータからでも入力装置からでも、その対応を簡単な操作により瞬時に知ることができる。これにより、コンピュータと入力装置とが別々に梱包され配送した場合でも、コンピュータと入力装置との対応を、簡単な操作により知ることができる。例えば、入力装置がワイヤレスキーボードである場合、コンピュータとキーボードとの組合せが数１００組であっても、その対応を容易に知ることができる。また、例えば、入力装置がワイヤレスマウスである場合、これらが別売されても、その対応を容易に知ることができる。従って、メーカーは、コンピュータと入力装置とを対応付けた上で、コンピュータと入力装置とを別々に梱包し配送し出荷することができる。
【符号の説明】
【００７５】
１０  入力装置
１１  キーボード
１２  制御部
１３  送信部
１４  受信部
１５  記憶装置
１６  表示部
１７  発呼部
１８  入力装置の認識番号
２０  情報処理装置
２１  受信部
２２  送信部
２３  入力装置通信制御部
２４  記憶装置
２５  制御部
２６  入力部
２７  表示部
２８  情報処理装置の認識番号
【図１】
2011096279.tif 000003
【図２】
2011096279.tif 000004
【図３】
2011096279.tif 000005
【図４】
2011096279.tif 000006
【図５】
2011096279.tif 000007
【図６】
2011096279.tif 000008
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
入力装置と、前記入力装置とワイヤレスで接続される情報処理装置とからなるワイヤレス接続情報処理システムであって、
前記入力装置及び情報処理装置の一方が、
複数のキー又はスイッチと、
前記複数のキー又はスイッチの中の特定のキー又はスイッチの特定の操作が行われた場合、前記特定のキー又はスイッチの特定の操作が行われたことを示す呼出操作のキーコードと、前記入力装置及び情報処理装置の一方を示す認識番号とを含む操作信号であって、前記入力装置及び情報処理装置の他方を呼び出す操作信号を生成する生成部と、
前記生成した操作信号を前記入力装置及び情報処理装置の他方に送信する送信部とを備え、
前記入力装置及び情報処理装置の他方が、
前記入力装置及び情報処理装置の一方を示す認識番号を記憶する記憶部と、
前記送信された操作信号を受信する受信部と、
前記受信した操作信号に基づいて、前記操作信号に含まれる認識番号が前記記憶部に記憶されている前記入力装置及び情報処理装置の一方を示す認識番号と一致する場合、前記受信した操作信号に含まれたキーコードと前記入力装置及び情報処理装置の他方の呼出命令のキーコードとを比較し、両者が同一である場合、前記入力装置及び情報処理装置の他方が呼び出されていることを示す呼出信号を出力する出力部とを備える
ことを特徴とするワイヤレス接続情報処理システム。
【請求項２】
請求項１に記載のワイヤレス接続情報処理システムにおいて、
前記記憶部は、書き換え可能な不揮発性メモリである
ことを特徴とするワイヤレス接続情報処理システム。
【請求項３】
請求項１に記載のワイヤレス接続情報処理システムにおいて、
前記入力装置及び情報処理装置の他方が備える前記入力装置及び情報処理装置の一方を示す認識番号は、前記入力装置及び情報処理装置の一方から予め通知される
ことを特徴とするワイヤレス接続情報処理システム。
【請求項４】
請求項１に記載のワイヤレス接続情報処理システムにおいて、
前記特定のキー又はスイッチの特定の操作は、前記呼出操作のキーコードの生成を指示する専用のキー又はスイッチが押されること、所定のキー又はスイッチの組合せが押されること、又は、所定のキー又はスイッチについての所定の操作である
ことを特徴とするワイヤレス接続情報処理システム。
【請求項５】
請求項１に記載のワイヤレス接続情報処理システムにおいて、
前記入力装置及び情報処理装置の他方が、更に、
複数の第２のキー又はスイッチと、
前記複数の第２のキー又はスイッチの中の特定の第２のキー又はスイッチの特定の操作が行われた場合、前記特定のキー又はスイッチの特定の操作が行われたことを示す呼出操作のキーコードと、前記入力装置及び情報処理装置の他方を示す認識番号とを含む操作信号であって、前記入力装置及び情報処理装置の一方を呼び出す第２操作信号を生成する第２生成部と、
前記生成した第２操作信号を前記入力装置及び情報処理装置の一方に送信する第２送信部とを備え、
前記入力装置及び情報処理装置の一方が、更に、
前記入力装置及び情報処理装置の他方を示す認識番号を記憶する第２記憶部と、
前記送信された第２操作信号を受信する第２受信部と、
前記受信した第２操作信号に基づいて、前記第２操作信号に含まれる認識番号が前記第２記憶部に記憶されている前記入力装置及び情報処理装置の他方を示す認識番号と一致する場合、前記受信した第２操作信号に含まれたキーコードと前記入力装置及び情報処理装置の一方の呼出命令のキーコードとを比較し、両者が同一である場合、前記入力装置及び情報処理装置の一方が呼び出されていることを示す第２呼出信号を出力する第２出力部とを備える
ことを特徴とするワイヤレス接続情報処理システム。
【請求項６】
複数のキー又はスイッチを備える入力装置とワイヤレスで接続される情報処理装置において、
前記入力装置を示す認識番号を記憶する記憶部と、
前記入力装置から送信された、前記複数のキー又はスイッチの中の特定のキー又はスイッチの特定の操作が行われたことを示す呼出操作のキーコードと、前記入力装置を示す認識番号とを含み、前記情報処理装置を呼び出す操作信号を受信する受信部と、
前記受信した操作信号に基づいて、前記操作信号に含まれる認識番号が前記記憶部に記憶されている前記入力装置を示す認識番号と一致する場合、前記受信した操作信号に含まれたキーコードと当該情報処理装置の呼出命令のキーコードとを比較し、両者が同一である場合、当該情報処理装置が呼び出されていることを示す呼出信号を出力する出力部とを備える
ことを特徴とする情報処理装置。
【請求項７】
複数のキー又はスイッチを備える情報処理装置とワイヤレスで接続される入力装置において、
前記情報処理装置を示す認識番号を記憶する記憶部と、
前記情報処理装置から送信された、前記複数のキー又はスイッチの中の特定のキー又はスイッチの特定の操作が行われたことを示す呼出操作のキーコードと、前記情報処理装置を示す認識番号とを含み、前記入力装置を呼び出す操作信号を受信する受信部と、
前記受信した操作信号に基づいて、前記操作信号に含まれる認識番号が前記記憶部に記憶されている前記情報処理装置を示す認識番号と一致する場合、前記受信した操作信号に含まれたキーコードと当該入力装置の呼出命令のキーコードとを比較し、両者が同一である場合、当該入力装置が呼び出されていることを示す呼出信号を出力する出力部とを備える
ことを特徴とする入力装置。
【手続補正３】
【補正対象書類名】明細書
【補正対象項目名】０００１
【補正方法】変更
【補正の内容】
【０００１】
本発明は、ワイヤレス接続情報処理システム、情報処理装置、入力装置に関し、特に、ワイヤレスキーボードのような入力装置とコンピュータとの間の対応を容易に判別することができるワイヤレス接続情報処理システム、情報処理装置、入力装置に関する。
【手続補正４】
【補正対象書類名】明細書
【補正対象項目名】００１０
【補正方法】変更
【補正の内容】
【００１０】
本発明のワイヤレス接続情報処理システムは、入力装置と、前記入力装置とワイヤレスで接続される情報処理装置とからなる。前記入力装置及び情報処理装置の一方が、複数のキー又はスイッチと、前記複数のキー又はスイッチの中の特定のキー又はスイッチの特定の操作が行われた場合、前記特定のキー又はスイッチの特定の操作が行われたことを示す呼出操作のキーコードと、前記入力装置及び情報処理装置の一方を示す認識番号とを含む操作信号であって、前記入力装置及び情報処理装置の他方を呼び出す操作信号を生成する生成部と、前記生成した操作信号を前記入力装置及び情報処理装置の他方に送信する送信部とを備える。前記入力装置及び情報処理装置の他方が、前記入力装置及び情報処理装置の一方を示す認識番号を記憶する記憶部と、前記送信された操作信号を受信する受信部と、前記受信した操作信号に基づいて、前記操作信号に含まれる認識番号が前記記憶部に記憶されている前記入力装置及び情報処理装置の一方を示す認識番号と一致する場合、前記受信した操作信号に含まれたキーコードと前記入力装置及び情報処理装置の他方の呼出命令のキーコードとを比較し、両者が同一である場合、前記入力装置及び情報処理装置の他方が呼び出されていることを示す呼出信号を出力する出力部とを備える。
【手続補正５】
【補正対象書類名】明細書
【補正対象項目名】００１５
【補正方法】変更
【補正の内容】
【００１５】
本発明のワイヤレス接続情報処理システムによれば、例えば、入力装置において特定のキー又はスイッチの特定の操作が行われた場合、入力装置が、呼出操作のキーコードと入力装置を示す認識番号とを含む操作信号を生成する。そして、情報処理装置が、受信した操作信号に基づいて、前記認識番号が前記入力装置を示す認識番号と一致する場合、受信した操作信号に含まれたキーコードと当該情報処理装置の呼出命令のキーコードとを比較し、両者が同一である場合、情報処理装置の呼出信号を出力する。
【手続補正６】
【補正対象書類名】明細書
【補正対象項目名】００１６
【補正方法】変更
【補正の内容】
【００１６】
これにより、コンピュータとワイヤレスキーボードのような入力装置との対応を、入力装置のキー等の簡単な操作により知ることができるので、１組づつ確認することができる。従って、コンピュータを購入した企業等（ユーザ）において再度コンピュータとキーボードとの対応を設定する必要を無くすことができ、メーカーにおける対応の設定を無駄にすることを防止することができる。また、固有周波数での送受信に依存しないので、コンピュータと入力装置と組合せの数が制限されることが無い。従って、本発明によれば、コンピュータと入力装置とが別々に梱包され配送したとしても、どのコンピュータがどの入力装置に対応しているかを、簡単な操作により瞬時に知ることができる。また、メーカーが、コンピュータを数１００台単位で出荷する場合、コンピュータと入力装置とを対応付けた上で出荷することができる。